(57)【特許請求の範囲】
【請求項１】
少なくとも第１入力手段と第２入力手段を含む複数の入力手段から、ユーザの指示を受付可能な受付手段と、
入力手段により入力された指示が、いずれの入力手段から入力されたものであるかを判定する判定手段と、
前記受付手段により前記複数の入力手段の中の任意の第１入力手段による所定の指示が受け付けられている状態で、前記複数の入力手段の中の任意の第２入力手段により前記第１入力手段による所定の指示とは異なる処理内容の実行に関する所定の指示が入力された場合には、前記第１入力手段の種類と前記第２入力手段の種類との組み合わせに応じて前記第２入力手段による指示を受け付けるか否かについて予め記憶されているテーブルを基準として、前記受付手段が前記第２入力手段による所定の指示を受け付けるか否かについて決定する受付決定手段と、
前記受付決定手段によって前記第２入力手段による所定の指示を受け付けると決定された場合に、前記受付手段が前記第１入力手段による所定の指示とは異なる処理内容の実行に関する所定の指示を受付けるように受付手段を制御する受付制御手段と、
を備えたことを特徴とする画像処理装置。
【請求項２】
表示手段を備え、
前記テーブルにはさらに、前記第２入力手段による所定の指示を受け付ける場合に、前記第１入力手段の種類と前記第２入力手段の種類との組み合わせに応じて前記表示手段へいずれの表示内容を優先させるかの優先順位を適用させるか否かについての設定についても予め記憶されており、
前記受付手段により前記複数の入力手段の中の任意の第１入力手段による所定の指示が受け付けられている状態で、前記複数の入力手段の中の任意の第２入力手段により前記第１入力手段による所定の指示とは異なる処理内容の実行に関する所定の指示が入力された場合に、前記テーブルを基準として、前記設定に該当する場合には、前記表示手段が前記第２入力手段に対する画面表示を優先的に行うか否かについても決定する表示決定手段と、
前記表示決定手段の決定に応じて、前記表示手段を制御する表示制御手段と、
をさらに備えている請求項１に記載の画像処理装置。
【請求項３】
前記指示はジョブを実行するための設定指示である請求項１または２に記載の画像処理装置。
【請求項４】
前記入力手段は、自装置に設けられた操作パネルを用いる入力手段、音声を利用した入力手段、有線または無線により画像処理装置にデータを送信可能な入力手段、のいずれかである請求項１〜３のいずれかに記載の画像処理装置。
【請求項５】
少なくとも第１入力手段と第２入力手段を含む複数の入力手段から、ユーザの指示を受付る受付ステップと、
入力手段により入力された指示が、いずれの入力手段から入力されたものであるかを判定する判定ステップと、
前記受付ステップにおいて前記複数の入力手段の中の任意の第１入力手段による所定の指示が受け付けられている状態で、前記複数の入力手段の中の任意の第２入力手段により前記第１入力手段による所定の指示とは異なる処理内容の実行に関する所定の指示が入力された場合には、前記第１入力手段の種類と前記第２入力手段のの種類との組み合わせに応じて前記第２入力手段による指示を受け付けるか否かについて予め記憶されているテーブルを基準として、前記受付ステップにおいて前記第２入力手段による所定の指示を受け付けるか否かについて決定する受付決定ステップと、
前記受付決定ステップにおいて前記第２入力手段による所定の指示を受け付けると決定された場合に、前記受付ステップにおいて第１入力ステップにおける所定の指示とは異なる処理内容の実行に関する所定の指示を受付けるように制御する受付制御ステップと、
を備えたことを特徴とする画像処理方法。
【請求項６】
前記テーブルにはさらに、前記第２入力手段による所定の指示を受け付ける場合に、前記第１入力手段の種類と前記第２入力手段の種類との組み合わせに応じて表示手段へいずれの表示内容を優先させるかの優先順位を適用させるか否かについての設定についても予め記憶されており、
前記受付ステップにおいて前記複数の入力手段の中の任意の第１入力手段による所定の指示が受け付けられている状態で、前記複数の入力手段の中の任意の第２入力手段により前記第１入力手段による所定の指示とは異なる処理内容の実行に関する所定の指示が入力された場合に、前記テーブルを基準として、前記設定に該当する場合には、前記表示手段が前記第２入力手段に対する画面表示を優先的に行うか否かについても決定する表示決定ステップと、
前記表示決定ステップにおける決定に応じて、前記表示手段を制御する表示制御ステップと、
をさらに備えている請求項５に記載の画像処理方法。
【請求項７】
前記指示はジョブを実行するための設定指示である請求項５または６に記載の画像処理方法。
【請求項８】
前記入力手段は、自装置に設けられた操作パネルを用いる入力手段、音声を利用した入力手段、有線または無線により画像処理装置にデータを送信可能な入力手段、のいずれかである請求項５〜７のいずれかに記載の画像処理方法。
【請求項９】
少なくとも第１入力手段と第２入力手段を含む複数の入力手段から、ユーザの指示を受付る受付ステップと、
入力手段により入力された指示が、いずれの入力手段から入力されたものであるかを判定する判定ステップと、
前記受付ステップにおいて前記複数の入力手段の中の任意の第１入力手段による所定の指示が受け付けられている状態で、前記複数の入力手段の中の任意の第２入力手段により前記第１入力手段による所定の指示とは異なる処理内容の実行に関する所定の指示が入力された場合には、前記第１入力手段の種類と前記第２入力手段のの種類との組み合わせに応じて前記第２入力手段による指示を受け付けるか否かについて予め記憶されているテーブルを基準として、前記受付ステップにおいて前記第２入力手段による所定の指示を受け付けるか否かについて決定する受付決定ステップと、
前記受付決定ステップにおいて前記第２入力手段による所定の指示を受け付けると決定された場合に、前記受付ステップにおいて第１入力ステップにおける所定の指示とは異なる処理内容の実行に関する所定の指示を受付けるように制御する受付制御ステップと、
を、画像処理装置のコンピュータに実行させるための画像処理プログラム。
【請求項１０】
前記テーブルにはさらに、前記第２入力手段による所定の指示を受け付ける場合に、前記第１入力手段の種類と前記第２入力手段の種類との組み合わせに応じて表示手段へいずれの表示内容を優先させるかの優先順位を適用させるか否かについての設定についても予め記憶されており、
前記受付ステップにおいて前記複数の入力手段の中の任意の第１入力手段による所定の指示が受け付けられている状態で、前記複数の入力手段の中の任意の第２入力手段により前記第１入力手段による所定の指示とは異なる処理内容の実行に関する所定の指示が入力された場合に、前記テーブルを基準として、前記設定に該当する場合には、前記表示手段が前記第２入力手段に対する画面表示を優先的に行うか否かについても決定する表示決定ステップと、
前記表示決定ステップにおける決定に応じて、前記表示手段を制御する表示制御ステップと、
を前記コンピュータにさらに実行させる請求項９に記載の画像処理プログラム。
【請求項１１】
前記指示はジョブを実行するための設定指示である請求項９または１０に記載の画像処理プログラム。
【請求項１２】
前記入力手段は、自装置に設けられた操作パネルを用いる入力手段、音声を利用した入力手段、有線または無線により画像処理装置にデータを送信可能な入力手段、のいずれかである請求項９〜１１のいずれかに記載の画像処理プログラム。
【発明の詳細な説明】
【技術分野】
【０００１】
この発明は、多機能デジタル複合機であるＭＦＰ（Multi Function Peripherals）等の画像形成装置等に用いられる画像処理装置、画像処理方法及び画像処理プログラムに関する。
【背景技術】
【０００２】
昨今、画像形成装置等の画像処理装置には、種々の機能が搭載されており、それらの機能を使用するためのユーザによる指示も、操作パネルや音声入力、さらには端末装置からの入力等、複数の入力手段により行うことができるようになってきている。
【０００３】
ところが、従来では、前記複数の入力手段による画像処理装置への指示が同時になされた場合には、先に入力を受け付けられた方の指示が優先され、後からの入力は、先に受け付けられた入力が終了するまで待たされていた。
【０００４】
なお、特許文献１には、音声コマンドと操作コマンドの組み合わせによって条件や値を設定する画像処理装置が開示されている。
【特許文献１】特開２０００−２０９３７８号公報
【発明の開示】
【発明が解決しようとする課題】
【０００５】
しかし、上記特許文献１に記載された画像処理装置は、１つの設定を複数の入力手段により実現するものであり、複数の入力手段からの指示が同時になされた場合に、後からの入力が待たされるというような不都合を解消しうるものではなかった。
【０００６】
この発明は、このような技術的背景に鑑みてなされたものであって、複数の入力手段からの指示が同時になされた場合に、後からの入力が待たされる不都合を解消することができる画像処理装置、画像処理方法及び画像処理プログラムを提供することを課題とする。
【課題を解決するための手段】
【０００７】
上記課題は、以下の手段によって達成される。
（１）少なくとも第１入力手段と第２入力手段を含む複数の入力手段から、ユーザの指示を受付可能な受付手段と、入力手段により入力された指示が、いずれの入力手段から入力されたものであるかを判定する判定手段と、前記受付手段により前記複数の入力手段の中の任意の第１入力手段による所定の指示が受け付けられている状態で、前記複数の入力手段の中の任意の第２入力手段により前記第１入力手段による所定の指示とは異なる処理内容の実行に関する所定の指示が入力された場合には、前記第１入力手段の種類と前記第２入力手段の種類との組み合わせに応じて前記第２入力手段による指示を受け付けるか否かについて予め記憶されているテーブルを基準として、前記受付手段が前記第２入力手段による所定の指示を受け付けるか否かについて決定する受付決定手段と、前記受付決定手段によって前記第２入力手段による所定の指示を受け付けると決定された場合に、前記受付手段が前記第１入力手段による所定の指示とは異なる処理内容の実行に関する所定の指示を受付けるように受付手段を制御する受付制御手段と、を備えたことを特徴とする画像処理装置。
（２）表示手段を備え、前記テーブルにはさらに、前記第２入力手段による所定の指示を受け付ける場合に、前記第１入力手段の種類と前記第２入力手段の種類との組み合わせに応じて前記表示手段へいずれの表示内容を優先させるかの優先順位を適用させるか否かについての設定についても予め記憶されており、前記受付手段により前記複数の入力手段の中の任意の第１入力手段による所定の指示が受け付けられている状態で、前記複数の入力手段の中の任意の第２入力手段により前記第１入力手段による所定の指示とは異なる処理内容の実行に関する所定の指示が入力された場合に、前記テーブルを基準として、前記設定に該当する場合には、前記表示手段が前記第２入力手段に対する画面表示を優先的に行うか否かについても決定する表示決定手段と、前記表示決定手段の決定に応じて、前記表示手段を制御する表示制御手段と、をさらに備えている前項１に記載の画像処理装置。
（３）前記指示はジョブを実行するための設定指示である前項１または２に記載の画像処理装置。
（４）前記入力手段は、自装置に設けられた操作パネルを用いる入力手段、音声を利用した入力手段、有線または無線により画像処理装置にデータを送信可能な入力手段、のいずれかである前項１〜３のいずれかに記載の画像処理装置。
（５）少なくとも第１入力手段と第２入力手段を含む複数の入力手段から、ユーザの指示を受付る受付ステップと、入力手段により入力された指示が、いずれの入力手段から入力されたものであるかを判定する判定ステップと、前記受付ステップにおいて前記複数の入力手段の中の任意の第１入力手段による所定の指示が受け付けられている状態で、前記複数の入力手段の中の任意の第２入力手段により前記第１入力手段による所定の指示とは異なる処理内容の実行に関する所定の指示が入力された場合には、前記第１入力手段の種類と前記第２入力手段のの種類との組み合わせに応じて前記第２入力手段による指示を受け付けるか否かについて予め記憶されているテーブルを基準として、前記受付ステップにおいて前記第２入力手段による所定の指示を受け付けるか否かについて決定する受付決定ステップと、前記受付決定ステップにおいて前記第２入力手段による所定の指示を受け付けると決定された場合に、前記受付ステップにおいて第１入力ステップにおける所定の指示とは異なる処理内容の実行に関する所定の指示を受付けるように制御する受付制御ステップと、を備えたことを特徴とする画像処理方法。
（６）前記テーブルにはさらに、前記第２入力手段による所定の指示を受け付ける場合に、前記第１入力手段の種類と前記第２入力手段の種類との組み合わせに応じて表示手段へいずれの表示内容を優先させるかの優先順位を適用させるか否かについての設定についても予め記憶されており、前記受付ステップにおいて前記複数の入力手段の中の任意の第１入力手段による所定の指示が受け付けられている状態で、前記複数の入力手段の中の任意の第２入力手段により前記第１入力手段による所定の指示とは異なる処理内容の実行に関する所定の指示が入力された場合に、前記テーブルを基準として、前記設定に該当する場合には、前記表示手段が前記第２入力手段に対する画面表示を優先的に行うか否かについても決定する表示決定ステップと、前記表示決定ステップにおける決定に応じて、前記表示手段を制御する表示制御ステップと、をさらに備えている前項５に記載の画像処理方法。
（７）前記指示はジョブを実行するための設定指示である前項５または６に記載の画像処理方法。
（８）前記入力手段は、自装置に設けられた操作パネルを用いる入力手段、音声を利用した入力手段、有線または無線により画像処理装置にデータを送信可能な入力手段、のいずれかである前項５〜７のいずれかに記載の画像処理方法。
（９）少なくとも第１入力手段と第２入力手段を含む複数の入力手段から、ユーザの指示を受付る受付ステップと、入力手段により入力された指示が、いずれの入力手段から入力されたものであるかを判定する判定ステップと、前記受付ステップにおいて前記複数の入力手段の中の任意の第１入力手段による所定の指示が受け付けられている状態で、前記複数の入力手段の中の任意の第２入力手段により前記第１入力手段による所定の指示とは異なる処理内容の実行に関する所定の指示が入力された場合には、前記第１入力手段の種類と前記第２入力手段のの種類との組み合わせに応じて前記第２入力手段による指示を受け付けるか否かについて予め記憶されているテーブルを基準として、前記受付ステップにおいて前記第２入力手段による所定の指示を受け付けるか否かについて決定する受付決定ステップと、前記受付決定ステップにおいて前記第２入力手段による所定の指示を受け付けると決定された場合に、前記受付ステップにおいて第１入力ステップにおける所定の指示とは異なる処理内容の実行に関する所定の指示を受付けるように制御する受付制御ステップと、を、画像処理装置のコンピュータに実行させるための画像処理プログラム。
（１０）前記テーブルにはさらに、前記第２入力手段による所定の指示を受け付ける場合に、前記第１入力手段の種類と前記第２入力手段の種類との組み合わせに応じて表示手段へいずれの表示内容を優先させるかの優先順位を適用させるか否かについての設定についても予め記憶されており、前記受付ステップにおいて前記複数の入力手段の中の任意の第１入力手段による所定の指示が受け付けられている状態で、前記複数の入力手段の中の任意の第２入力手段により前記第１入力手段による所定の指示とは異なる処理内容の実行に関する所定の指示が入力された場合に、前記テーブルを基準として、前記設定に該当する場合には、前記表示手段が前記第２入力手段に対する画面表示を優先的に行うか否かについても決定する表示決定ステップと、前記表示決定ステップにおける決定に応じて、前記表示手段を制御する表示制御ステップと、を前記コンピュータにさらに実行させる前項９に記載の画像処理プログラム。
（１１）前記指示はジョブを実行するための設定指示である前項９または１０に記載の画像処理プログラム。
（１２）前記入力手段は、自装置に設けられた操作パネルを用いる入力手段、音声を利用した入力手段、有線または無線により画像処理装置にデータを送信可能な入力手段、のいずれかである前項９〜１１のいずれかに記載の画像処理プログラム。
【発明の効果】
【０００８】
前項（１）に記載の発明によれば、複数の入力手段の中の任意の第１入力手段による所定の指示が受け付けられている状態で、前記複数の入力手段の中の任意の第２入力手段により前記第１入力手段による所定の指示とは異なる処理内容の実行に関する所定の指示が入力された場合には、第１入力手段の種類と第２入力手段の種類との組み合わせに応じて前記第２入力手段による指示を受け付けるか否かについて予め記憶されているテーブルを基準として、受付手段が前記第２入力手段による所定の指示を受け付けるか否かについて決定され、第２入力手段による所定の指示を受け付けると決定された場合に、受付手段が前記第１入力手段による所定の指示とは異なる処理内容の実行に関する所定の指示を受付けるように制御される。つまり、複数の入力手段により所定の指示が同時に入力された場合でも、後からの入力が常に待たされる不都合をなくすことができ、後からの入力を受け付けることが可能となる。
【００１２】
前項（４）に記載の発明によれば、入力手段が、自装置に設けられた操作パネルを用いる入力手段、音声を利用した入力手段、有線または無線により画像処理装置にデータを送信可能な入力手段、のいずれかである場合に、複数の入力手段により所定の指示が同時に入力された場合でも、後からの入力が常に待たされる不都合をなくすことができ、後からの入力を受け付けることが可能となる。
【００１５】
前項（５）に記載の発明によれば、複数の入力手段により所定の指示が同時に入力された場合でも、後からの入力が常に待たされる不都合をなくすことができ、後からの入力を受け付けることが可能となる。
【００１６】
前項（９）に記載の発明によれば、画像処理装置のコンピュータが画像処理プログラムを実行することにより、複数の入力手段により所定の指示が同時に入力された場合でも、後からの入力が常に待たされる不都合をなくすことができ、後からの入力を受け付けることが可能となる。
【発明を実施するための最良の形態】
【００１７】
次に、この発明の一実施形態を図面に基づいて説明する。
【００１８】
図１は、この発明の一実施形態に係る画像処理装置としての画像形成装置１に、指示入力を行うための入力手段について説明するための図である。
【００１９】
この実施形態では、画像形成装置１への入力手段として、画像形成装置１自体に操作パネルが設けられ、またユーザの人体的特徴である例えば音声を受信するマイク等の入力手段が設けられている。人体的特徴を利用する入力手段として、手書き文字入力によるものであっても良い。さらに、携帯電話などの携帯端末２、パーソナルコンピュータ３、画像形成装置等、指示用データを無線または有線遠隔操作により送信可能な入力手段も設けられている。なお、携帯端末２、パーソナルコンピュータ３、画像形成装置等の入力手段は、それ自身が表示装置を備えていても良いし、備えていなくても良い。また、単なるリモコンや操作盤などを入力手段として用いても良い。
【００２０】
前記画像形成装置１は、この実施形態では、多機能デジタル複合機であるＭＦＰ（Multi Function Peripherals）が用いられており、前記それぞれの入力手段により入力されたユーザの指示を受け付けることができるものとなされている。
【００２１】
図２は、前記画像形成装置１の構成を示すブロック図である。
【００２２】
図２に示すように、画像形成装置１は、操作装置２０１、ディスプレイ２０２、スキャナ装置２０３、プリンタ装置２０４、通信インターフェース２０６、ドキュメントフィーダ２０７、給紙装置２０８、ＣＰＵ２１０、ＲＡＭ２１１、ＲＯＭ２１２およびデータ記憶部２１３、マイク２１５などによって構成される。
【００２３】
操作装置２０１は、数字、文字、および記号などを入力するための複数キー、押下されたキーを認識するセンサ、および認識したキーを示す信号をＣＰＵ２１０に送信する送信用回路などによって構成されている。
【００２４】
ディスプレイ２０２は、ユーザに対してメッセージまたは指示を与えるための画面、ユーザが設定内容および処理内容を入力するための画面、および画像形成装置１で形成された画像、および処理の結果を示す画面などを表示する。本実施形態では、ディスプレイ２０２として、タッチパネルが用いられている。したがって、ディスプレイ２０２はユーザが指で触れたタッチパネル上の位置を検知し、検知結果を示す信号をＣＰＵ２１０に送信する機能を備えている。
【００２５】
このように、操作装置２０１およびディスプレイ２０２は、ユーザが画像形成装置２を直接操作するための指示を入力する入力手段の役割を果たしている。なお、前記パーソナルコンピュータ３には、画像形成装置１に対して指令を与えるためのアプリケーションプログラムおよぴドライバがインストールされている。したがって、前述したように、ユーザは、パーソナルコンピュータ３を使用して画像形成装置１を遠隔的に操作することもできる。また、携帯端末２等にも、画像形成装置１に対して指令を与えるためのアプリケーションプログラムがインストールされている。
【００２６】
スキャナ装置２０３は、写真、文字、絵などの画像情報を原稿から光電的に読取って画像データを取得する。取得された画像データ（濃度データ）は、図示しない画像処理部においてデジタルデータに変換され、周知の各種画像処理を施された後、プリンタ装置２０４や通信インターフェース２０６に送られ、画像の印刷やデータの送信に供されるか、または後の利用のために記憶部２１３に格納される。
【００２７】
プリンタ装置２０４は、スキャナ装置２０３により取得された画像データ、通信部２０６により外部機器から受信した画像データまたは記憶部２１３に格納されている画像を、用紙またはフイルムなどの記録シートに印刷する。給紙装置２０８は、画像形成装置２本体の下部に設けられており、印刷対象の画像に適した記録シートをプリンタ装置２０４に供給するために用いられている。プリンタ装置２０４によって画像が印刷された記録シートつまり印刷物は、図示しない排紙トレイに排出される。
【００２８】
通信インターフェース２０６は、送信部および受信部などによって構成され、端末装置１やＦＡＸ装置、携帯端末等の外部機器と有線あるいは無線によりデータのやりとりを行うための装置である。通信インターフェース２０６としては、ＮＩＣ、モデム、またはＴＡなどが用いられる。
【００２９】
データ記憶部２１３は、ハードディスク３３Ｈおよびカードリードライタ３３Ｒなどを有している。カードリードライタ３３Ｒは、コンパクトフラッシュ（登録商標）またはスマートメディアなどのメモリカード９１からデータを読取る、またはメモリカード９１にデータを書き込む。メモリカード９１は、主に端末装置１とのデータのやり取りをネットワーク３を介さずに行うためまたはデータのバックアップのため用いられる。
【００３０】
ハードディスク２１３Ｈには、スキャナ装置２０３で読み取った画像データ、通信インターフェース２０６により外部機器から受信した画像データ、その他のデータが保存される。この実施形態では、後述するように、異なる２つの入力手段から画像形成装置１に対する指示が同時に入力された場合の、入力手段の組み合わせによる指示の受付やディスプレイ２０２の表示内容についての優先順位を示す優先順位設定テーブルが記憶されている。
【００３１】
ハードディスク２１３Ｈのデータは、ネットワーク３を介してその他の画像形成装置からも参照可能な構成になっている。
【００３２】
ＣＰＵ２１０は、ＲＯＭ２１２に記憶されているプログラムまたはＲＡＭ２１１にロードされたプログラムを実行し、画像形成装置２の全体を制御する。
【００３３】
マイク２１５は、ユーザの音声による指示を入力するための入力手段として機能する。
【００３４】
図３は、前述した優先順位設定テーブルを示すものである。この例では、操作装置２０１およびディスプレイ２０２から入力される場合（図３ではタッチパネルと記す）と、ユーザの音声により入力される場合と、表示装置を持たないか簡易な表示手段しか持たない携帯端末やリモコン等のデバイスから無線遠隔操作または有線遠隔操作により入力される場合（図３ではリモート指示（表示なしデバイス）と記されている）と、パーソナルコンピュータ等の表示装置を有するデバイスから無線遠隔操作または有線遠隔操作により入力される場合（図３ではリモート指示（表示ありデバイス）と記されている）について、同時に指示が入力された場合の取り扱いに関する優先順位が規定されている。
【００３５】
図３のテーブルの「１ｓｔ」と記された上段横列は、ユーザの指示が先に入力されている入力手段を示し、「２ｓｔ」と記された左端縦列は、後から入力された入力手段を示している。
【００３６】
また、「設定指示」とは画像形成装置１に対するジョブを実行するための設定の指示であり、「画面表示指示」とは入力手段から指示された設定内容や、画像形成装置１の動作状態、ジョブ実行状態、エラー発生状態などをディスプレイ２０２に表示させるための指示である。
【００３７】
また、テーブル中の「×」は、後からの入力を受け付けないことを意味し、「○」は先の入力と後からの入力を同等レベルで受け付けることを意味する。さらに、「１ｓｔ」は両方の入力を受け付けるが、ディスプレイ２０２の画面表示については先の入力を優先し、「２ｎｄ」は両方の入力を受け付けるが、ディスプレイ２０２の画面表示については後の入力を優先することを意味する。
【００３８】
例えば、「＊１」で示してあるように、タッチパネルから設定指示がなされているときに、タッチパネルから他の設定指示がなされた場合は、先のタッチパネルからの設定指示が優先され、後からの設定指示は受け付けられない。
【００３９】
このときディスプレイ２０２に表示される画面を図４に示す。この画面では、先の設定指示に対応する設定画面が表示されると共に、後からの設定指示を禁止するアイコン２１０が表示されている。
【００４０】
また、図３に「＊２」で示してあるように、タッチパネルから設定指示がなされているときに、音声による画面表示指示がなされた場合には、いずれの指示も同等に受け付けられる。
【００４１】
このときディスプレイ２０２に表示される画面を図５に示す。この画面では、右側の設定表示領域２０２ａに、先に入力された設定指示に対応する設定画面が表示される一方、左側のステータス表示領域２０２ｂには、後からの画面表示指示に対するジョブの状態が表示されており、いずれの指示も同等に受け付けられていることがわかる。
【００４２】
また、図３に「＊３」で示してあるように、表示なしデバイスからリモート指示による設定指示がなされているときに、音声による設定指示がなされた場合には、いずれの指示も受け付けられるが、ディスプレイ２０２の画面表示については先の入力が優先される。
【００４３】
このときディスプレイ２０２に表示される画面を図６に示す。この画面では、先にリモートで入力された設定指示に対応する設定画面が継続して表示される一方、画面の下方に、後からの入力を受け付けている状態であることを示すアイコン２２０が表示されている。
【００４４】
このように、この実施形態では、複数の入力手段により指示が同時に入力された場合には、予め設定された入力手段の組み合わせに応じて、指示受付の優先順位及び／またはディスプレイ２０２による表示内容の優先順位が決定され、決定された優先順位で指示が受け付けられ、及び／またはディスプレイ２０２に表示内容が表示されるから、複数の入力手段により指示が同時に入力された場合でも、後からの入力が常に待たされる不都合をなくすことができ、後からの入力を受け付けることが可能となる。
【００４５】
図７は、図２に示した画像形成装置１に対して指示入力が行われたときの受付判断処理を示すフローチャートである。この処理は、ＣＰＵ２１０がＲＯＭ２１２に記憶されたプログラムに従って動作することによって実行される。
【００４６】
ステップＳ０１で、現在入力を受付中の入力手段があるかどうかを判断し、なければ（ステップＳ０１でＮＯ）、そのまま図示しないメインルーチンへリターンする。あれば（ステップＳ０１でＹＥＳ）、ステップＳ０２で、現在受付中の入力手段と指示内容を記憶する。
【００４７】
次に、ステップＳ０３で、新たな入力手段からの入力があればその入力手段と指示の内容を記憶したのち、ステップＳ０４で、先の入力手段と後の入力手段との関係を、図３のテーブルから取得する。そして、ステップＳ０５で、取得した結果が「×」であるかどうか調べる。「×」であれば（ステップＳ０５でＹＥＳ）、後の入力は受け付けられないから、そのままリターンする。
【００４８】
取得した結果が「×」でなければ（ステップＳ０５でＮＯ）、ステップＳ０６で、取得した結果が「○」であるかどうか調べる。「○」であれば（ステップＳ０６でＹＥＳ）、ステップＳ０７で、先の入力手段からの指示に加えて、後からの指示も受け付けるとともに画面動作を継続する。この場合は、両方の指示に対応する画面が表示される。
【００４９】
ステップＳ０６で、取得した結果が「○」でなければ（ステップＳ０６でＮＯ）、ステップＳ０８で、取得した結果が「１ｓｔ」であるかどうか調べる。「１ｓｔ」であれば （ステップＳ０８でＹＥＳ）、ステップＳ０９で、先の入力手段からの指示に加えて、後の入力手段からの指示も受け付けるが、画面は先の入力手段に対する画面を優先する。
【００５０】
ステップＳ０８で、取得した結果が「１ｓｔ」でなければ（ステップＳ０８でＮＯ）、ステップＳ１０で、取得した結果が「２ｎｄ」であるかどうか調べる。「２ｎｄ」であれば （ステップＳ１０でＹＥＳ）、ステップＳ１１で、先の入力手段からの指示に加えて、後の入力手段からの指示も受け付けるとともに、画面を後の入力手段に対する画面に切り替える。
【００５１】
ステップＳ１０で、取得した結果が「２ｎｄ」でなければ（ステップＳ１０でＮＯ）、そのままリターンする。
【図面の簡単な説明】
【００５２】
【図１】この発明の一実施形態に係る画像処理装置としての画像形成装置に指示入力を行うための入力手段について説明するための図である。
【図２】画像形成装置の構成を示すブロック図である。
【図３】優先順位設定テーブルを示す図である。
【図４】先の入力が優先され、後からの入力が受け付けられないときのディスプレイに表示される画面図である。
【図５】後先いずれの入力も同等に受け付けられるときのディスプレイに表示される画面図である。
【図６】後先いずれの入力も受け付けられるが、画面表示については先の入力が優先されるときのディスプレイに表示される画面図である。
【図７】図２に示した画像形成装置に対して入力が行われたときの受付判断処理を示すフローチャートである。
【符号の説明】
【００５３】
１      画像形成装置（画像処理装置）
２      携帯電話
３      パーソナルコンピュータ
２０１  操作装置
２０２  ディスプレイ
２０６  通信インターフェース
２１０  ＣＰＵ
２１２  ＲＯＭ
２１３  データ記憶部
２１４  マイク
【図１】
0005023958.tif 000002
【図２】
0005023958.tif 000003
【図３】
0005023958.tif 000004
【図４】
0005023958.tif 000005
【図５】
0005023958.tif 000006
【図６】
0005023958.tif 000007
【図７】
0005023958.tif 000008